(57)【要約】【課題】  従来の既存散水システムでは、日によって貯めることができる量が違う排水を利用することは想定されておらず、設定散水時間が終了する前に貯めておいた排水が無くなった場合には散水を継続することができず、最後まで散水ができないという課題があった。【解決手段】  不確定な量の排水を利用して、既存散水システムにて毎回最後まで確実に散水するには、散水時間内に貯めていた排水が無くなりかけた場合に、安定供給される上水などの水を、なくなりかけた排水の代わりに供給できるシステムを構築することで、貯めた排水を利用しても毎回最後まで散水できるようになり課題が解決できる。【選択図】図２
2017000127.tif 000002
【特許請求の範囲】
【請求項１】
上水などの安定供給される水を利用した既存散水システムに、あらかじめ貯めておいた水も利用する際に、ポンプにて優先的に貯めた水を散水システムに供給し、貯めた水が無くなった際には、ポンプを停止させ上水からの供給に切り替え、安定して散水システムに水を供給するシステム
【請求項２】
上水などの安定供給される水を利用した既存散水システムに、あらかじめ貯めておいた水も利用する際に、安定供給される水と貯めた水を散水システムに混合し供給し、貯めた水の水位が低くなった際には、安定供給される水を貯める水の方にも供給し最低水位を保ち、安定して散水システムに水を供給するシステム
【請求項３】
上水などの安定供給される水を利用した既存散水システムに、あらかじめ貯めておいた水も利用する際に、貯めた水をポンプにて散水システムに供給し、貯めた水の水位が低くなった際には、安定供給される水を貯める水の方に供給し最低水位を保ち、ポンプにて継続して散水システムに水を供給するシステム
【発明の詳細な説明】
【技術分野】
【０００１】  本発明は水道水などの上水を、設定した時間に設定した量を各パイプに電磁弁などの開閉により制御し、植物などに散水する散水システム（以下、既存散水システムに統一）に関する技術である。
【背景技術】
【０００２】  限られた水資源を有効利用するため既存散水システムに、集合住宅や戸建て住宅からの雨水、お風呂／シャワーや洗濯器などで使用した後の水（以下、排水に統一）を水槽に貯めて利用する。ただ、排水は常に安定供給される上水と違って、日によって貯められる時間や貯められる量が不確定なため、適切な時間に適切な量の水を必要とする植物などに、設定した時間に設定した水量を散水することを目的とした既存散水システムに使用するには不向きであった。
【先行技術文献】
【特許文献】
【０００３】
【特許文献】
【０００４】
【非特許文献】
【発明の概要】
【発明が解決しようとする課題】
【０００５】  従来の散水システムは安定供給される水で使用するのが前提で、排水を使用しようとした場合、季節／天気／日／時間によって貯められることができる排水の水量が異なったり、季節によって散水する量を変えたりするため、設定散水時間が完了する前に貯めておいた排水が無くなった場合には、最後まで散水ができなくなるため、貯めておいた排水を使用することができないという課題があった。
【課題を解決するための手段】
【０００６】  不確定な量である排水を利用して、既存散水システムにて季節／天気／日／時間などに関係なく毎回最後まで確実に散水するには、散水時間内に貯めておいた排水がほぼ無くなりかけた場合に、安定供給される上水などの水を排水の代わりに供給できるシステムを構築することで、貯めた排水を優先的に利用しても毎回最後まで散水できるようになり課題が解決できる。【０００７】  手段１として、水槽内の貯められた排水をポンプにて既存散水システムに供給。水槽内の排水が一定の水位レベル以下になった場合にポンプを停止し、上水から既存散水システムに水を供給。【０００８】  手段２として、上水の水圧を利用し、上水と排水を混合し既存散水システムに供給。水槽内の水位レベルが一定レベル以下になった場合は、上水を水槽にも供給し水槽内の水位レベルを一定レベルで維持し、上水と水槽からの上水を混ぜて供給。水槽からの供給量を増やすため、水槽からの供給にポンプを使用しても構わない。【０００９】  手段３として、水槽内に貯められた排水をポンプにて既存散水システムに供給。水槽内の水位レベルが一定レベル以下になった場合は、上水を水槽に供給し、継続してポンプの力にて既存散水システムに水を供給する。【００１０】  各手段において、必要な個所には逆流防止装置を取り付ける。
【発明の効果】
【００１１】  本発明により、集合住宅や戸建て住宅から排出されるお風呂／シャワーや洗濯器などの日によって貯められる量が違う排水を利用しても、既存散水システムにて毎回最後まで散水を行うことができ、限られた水資源を節約なおかつ有効に使うことができるようになる。【００１２】  大幅な変更をせず既存散水システムを使用するため、安価にてシステムを提供することができ、システム追加による追加費用を短い期間にて水代にて回収することができる。
【図面の簡単な説明】
【００１３】
【図１】本発明の上水の既存散水システムの図である。
【図２】本発明の手段１（ポンプと上水にて排水）の散水システムの図である。
【図３】本発明の手段２（上水と排水を混合）の散水システムの図である。
【図４】本発明の手段３（ポンプのみ）の散水システムの図である。
【図５】本発明の手段２における混合方法を示した図である。
【発明を実施するための形態】
【００１４】  本発明にかかわる排水を利用した散水システムを以下に、図面に基づいて詳細に説明する。
【実施例１】
【００１５】  図２に示してある手段１のように、図１の上水の既存散水システムに７水槽、その中に８ポンプと９水位センサーを設置。８ポンプは１０排水用配管にて１上水用配管と接続。３開閉制御装置によって２．１開閉装置散水用が開けられたとき、９水位センサーよりも水位が高い場合は、８ポンプが作動、２．２開閉装置上水用は閉のままで排水を散水システムに供給。９水位センサーよりも水位が低くなった場合は、９水位センサーからの信号により８ポンプは停止し２．２開閉装置上水用を開け、排水の代わりに上水のみを既存散水システムに供給。
【実施例２】
【００１６】  図３に示してある手段２のように、図１の上水の既存散水システムに７水槽、その中に９水位センサーを設置。３開閉制御装置によって２．１開閉装置散水用が開けられたとき、９水位センサーよりも水位が高い場合は、２．３開閉装置水槽用は閉のままで、１３混合装置にて上水と排水を混合し散水システムに供給。９水位センサーよりも水位が低くなった場合は、２．３開閉装置水槽用が開き、上水を供給することで７水槽内の水位レベルを必要最低水位レベル程度で一定に保ち、上水と７水槽から水を混合し散水システムに供給。図４に上水と排水の混合方法を示す。１７流量しぼりによりしぼり後に１５排水入口から供給された排水が混合されるようにする。１０排水用配管にポンプを追加し混合する排水の量を増やしてもよい。
【実施例３】
【００１７】  図４に示してある手段３のように、図１の上水の既存散水システムに７水槽、その中に８ポンプと９水位センサーを設置。３開閉制御装置によって２．１開閉装置散水用が開けられたとき、それと連動して８ポンプが作動し排水を散水システムに供給。９水位センサーよりも水位が高い場合は、２．３開閉装置水槽用は閉のままで、９水位センサーよりも水位が低くなった場合は２．３開閉装置水槽用が開き、上水を供給することで７水槽内の水位をポンプに必要な最低水位レベルで一定に程度に保ち、継続して８ポンプにより７水槽から散水システムに供給。【００１８】  各手段において、排水を特定のパイプにのみに利用するため分岐した後のパイプに接続しても構わない。【００１９】  各手段において電磁弁や逆流防止弁などの１１逆流防止装置により上水が７水槽に流れることや排水が１４上水入口に侵入するのを防ぐ。
【産業上の利用可能性】
【００２０】  一般家庭から出される排水を植物などの散水に利用することによって、水使用量の削減、水道代の節約、水不足の軽減、下水処理施設の軽減などが期待できる。
【符号の説明】
【００２１】１        上水用配管
２．１    開閉装置散水用
２．２    開閉装置上水用
２．３    開閉装置水槽用
３        開閉制御装置
４        開閉制御装置配線
５        スプリンクラー
６        スプリンクラー配管
７        水槽
８        ポンプ
９        水位センサー
１０      排水用配管
１１      逆流防止装置
１２      上水／排水用配管
１３      上水／排水混合装置
１４      上水入口
１５      排水入口
１６      混合水出口
１７      流量しぼり
【図１】
2017000127.tif 000003
【図２】
2017000127.tif 000004
【図３】
2017000127.tif 000005
【図４】
2017000127.tif 000006
【図５】
2017000127.tif 000007